(57)【要約】【課題】回路の規模を小さくすることができることを目的とする。【解決手段】画像データに基づく画像、及びテストパターンを画像形成する画像形成であって、前記画像データの画素の間引き処理を行い、前記テストパターンのデータを生成する生成処理を行い、ディザリングに係るデータを生成するディザリングデータ生成手段と、を有し、前記間引き処理は、前記画像データに基づく画像を画像形成する場合、前記ディザリングデータ生成手段から前記ディザリングに係るデータを取得し、前記生成処理手段は、前記テストパターンを画像形成する場合、前記間引き処理手段が前記ディザリングに係るデータを取得するのと共通の前記ディザリングデータ生成手段から前記ディザリングに係るデータを取得することで上記課題を解決する。【選択図】図４
2015207897.tif 000002
【特許請求の範囲】
【請求項１】
画像データに基づく画像、及びテストパターンを画像形成する画像形成装置であって、
前記画像データの画素の間引き処理を行う間引き処理手段と、
前記テストパターンのデータを生成する生成処理を行う生成処理手段と、
ディザリングに係るデータを生成するディザリングデータ生成手段と、を有し、
前記間引き処理手段は、
前記画像データに基づく画像を画像形成する場合、
前記ディザリングデータ生成手段から前記ディザリングに係るデータを取得し、
前記生成処理手段は、
前記テストパターンを画像形成する場合、
前記間引き処理手段が前記ディザリングに係るデータを取得するのと共通の前記ディザリングデータ生成手段から前記ディザリングに係るデータを取得する画像形成装置。
【請求項２】
前記ディザリングデータ生成手段に係る設定、及び用いるデータを記憶する記憶手段を有する請求項１に記載の画像形成装置。
【請求項３】
前記ディザリングデータ生成手段の前記ディザリングに係るデータの送信先を切り替える切替手段を有する請求項１、又は２に記載の画像形成装置。
【請求項４】
前記切替手段は、
前記切り替えを画像形成が行われる際にアサートされる信号によって行う請求項３に記載の画像形成装置。
【請求項５】
画像データに基づく画像、又はテストパターンを画像形成する画像形成手段を複数有し、
前記画像形成手段は、前記ディザリングデータ生成手段を共通して使用する請求項１乃至４のいずれかに記載の画像形成装置。
【請求項６】
画像データに基づく画像、及びテストパターンを画像形成する画像形成装置に行わせる画像形成方法であって、
前記画像形成装置は、
ディザリングに係るデータを生成するディザリングデータ生成手段を有し、
前記画像形成装置に、
前記画像データの画素の間引き処理を行わせる間引き処理手順と、
前記テストパターンのデータを生成する生成処理を行わせる生成処理手順と、を有し、
前記間引き処理手順は、
前記画像データに基づく画像を画像形成する場合、
前記ディザリングデータ生成手段から前記ディザリングに係るデータを取得させ、
前記生成処理手順は、
前記テストパターンを画像形成する場合、
前記間引き処理手順で前記ディザリングに係るデータを取得させるのと共通の前記ディザリングデータ生成手段から前記ディザリングに係るデータを取得させる画像形成方法。
【発明の詳細な説明】
【技術分野】
【０００１】
本発明は、画像形成装置、及び画像形成方法に関する。
【背景技術】
【０００２】
従来、中間転写ベルト上に補正用のトナーパターンを形成し、補正を行う方法が知られている。補正は、第１階調範囲の第１テストパターン像、及び第１階調範囲の一部である第２階調範囲の第２テストパターン像の濃度に基づいて階調再現性を補正する方法が知られている（例えば、特許文献１参照）。
【発明の概要】
【発明が解決しようとする課題】
【０００３】
しかしながら、従来技術では、ディザリング（Ｄｉｔｈｅｒｉｎｇ）用の回路、及びレジスタ（ｒｅｇｉｓｔｅｒ）等が共通化されていないため、回路の規模が大きくなってしまう場合があった。
【０００４】
本発明の１つの側面は、回路の規模を小さくすることを目的とする。
【課題を解決するための手段】
【０００５】
一態様における、画像データに基づく画像、及びテストパターンを画像形成する画像形成装置であって、前記画像データの画素の間引き処理を行う間引き処理手段と、前記テストパターンのデータを生成する生成処理を行う生成処理手段と、ディザリングに係るデータを生成するディザリングデータ生成手段と、を有し、前記間引き処理手段は、前記画像データに基づく画像を画像形成する場合、前記ディザリングデータ生成手段から前記ディザリングに係るデータを取得し、前記生成処理手段は、前記テストパターンを画像形成する場合、前記間引き処理手段が前記ディザリングに係るデータを取得するのと共通の前記ディザリングデータ生成手段から前記ディザリングに係るデータを取得することを特徴とする。
【発明の効果】
【０００６】
回路の規模を小さくすることができる。
【図面の簡単な説明】
【０００７】
【図１】本発明の一実施形態に係る画像形成装置の全体構成の一例を説明する概要図である。
【図２】本発明の一実施形態に係るハードウェア構成の一例を説明するブロック図である。
【図３】本発明の一実施形態に係る機能構成の一例を説明する機能ブロック図である。
【図４】本発明の一実施形態に係るディザリングに係る回路の送信先の切り替えの一例を説明するブロック図である。
【図５】本発明の一実施形態に係るディザリングの一例を説明する図である。
【図６】本発明の一実施形態に係る中間調の濃度補正の一例を説明する図である。
【発明を実施するための形態】
【０００８】
以下、本発明の実施の形態について説明する。
【０００９】
＜第１実施形態＞
＜画像形成装置の概略構成＞
図１は、本発明の一実施形態に係る画像形成装置の全体構成の一例を説明する概要図である。
【００１０】
画像形成装置１０００は、例えば、ファクシミリ装置、印刷装置（プリンタ）、複写機、又は複合機等である。
【００１１】
画像形成装置１０００は、例えば図１で図示するようにカラー画像形成でタンデム方式と称される二次転写機構を有する電子写真方式の画像形成装置である。以下、図１の場合を例に説明する。
【００１２】
画像形成装置１０００は、例えばイエロー（Ｙ）、シアン（Ｃ）、マゼンタ（Ｍ）、ブラック（Ｋ）等の各色に対応した別々の感光体ドラム（以下、「感光体」と略称する）を有する（以下、適宜括弧内に示した記号で色を表す場合がある）。
【００１３】
画像形成装置１０００は、光学装置１０１と、像形成部１０２と、転写部１０３と、を有する。光学装置１０１、像形成部１０２、及び転写部１０３が、画像形成とテストパターン形成を行う。
【００１４】
光学装置１０１は、複数の光源（図示せず）から放出された光ビームＢＭを、ポリゴンミラー１１０で偏向させ、走査レンズ１１１ａ、１１１ｂに入射させる。走査レンズ１１１ａ、１１１ｂは、例えばｆθレンズ等である。
【００１５】
光ビームＢＭは、イエロー（Ｙ）、ブラック（Ｋ）、マゼンタ（Ｍ）、及びシアン（Ｃ）の各色に対応した数である。光ビームＢＭは、走査レンズ１１１ａ、及び走査レンズ１１１ｂを通過した後、反射ミラー１１２ｙ〜１１２ｃで反射される。
【００１６】
例えば、イエローの光ビームＹは、走査レンズ１１１ａを透過して反射ミラー１１２ｙで反射される。他のブラック、マゼンタ、及びシアンの色も同様であるため、ここでは説明を省略する。
【００１７】
ＷＴＬレンズ１１３ｙ〜１１３ｃは、反射ミラー１１２ｙ〜１１２ｃから反射されて入射された各色の光ビームＹ〜Ｃを整形した後、反射ミラー１１４ｙ〜１１４ｃに各色の光ビームＹ〜Ｃを偏向させる。
【００１８】
反射ミラー１１４ｙ〜１１４ｃで偏向された各光ビームＹ〜Ｃは、反射ミラー１１５ｙ〜１１５ｃで反射する。反射の後、光ビームＹ〜Ｃは、露光のために感光体１２０ｙ〜１２０ｃに像状照射される。
【００１９】
感光体１２０ｙ〜１２０ｃへの各色の光ビームＹ〜Ｃの照射は、上述したＷＴＬレンズ１１３ｙ〜１１３ｃ、反射ミラー１１４ｙ〜１１４ｃ、及び反射ミラー１１５ｙ〜１１５ｃ等の複数の光学要素を使用して行われる。画像形成装置１０００は、感光体１２０ｙ〜１２０ｃに対する主走査方向、及び副走査方向に係るタイミング同期を行う。
【００２０】
以下、感光体１２０ｙ〜１２０ｃに対する主走査方向を、光ビームの走査方向とする。感光体１２０ｙ〜１２０ｃに対する副走査方向は、主走査方向に対して直交する方向とし、感光体１２０ｙ〜１２０ｃの回転する方向とする。
【００２１】
感光体１２０ｙ〜１２０ｃは、アルミニウム等の導電性ドラム上に、少なくとも電荷発生層と電荷輸送層と光導電層を有する。光導電層は、それぞれ感光体１２０ｙ〜１２０ｃに対応して配設され、コロトロン、スコロトロン、又は帯電ローラ等を有する。帯電器１２２ｙ〜１２２ｃにより表面電荷が付与される。
【００２２】
各帯電器１２２ｙ〜１２２ｃによって感光体１２０ｙ〜１２０ｃ上にそれぞれ付与された静電荷は、光ビームＹ〜Ｃによりそれぞれ像状露光される。各帯電器１２２ｙ〜１２２ｃの被走査面上に、静電潜像が形成される。
【００２３】
現像器１２１ｙ〜１２１ｃは、現像スリーブ、現像剤供給ローラ、規制ブレード等を有する。感光体１２０ｙ〜１２０ｃの被走査面上にそれぞれ形成された静電潜像は、現像器１２１ｙ〜１２１ｃによりそれぞれ現像される。現像によって感光体１２０ｙ〜１２０ｃの被走査面上に現像剤像が形成される。
【００２４】
感光体１２０ｙ〜１２０ｃの被走査面上に担持された各現像剤は、搬送ローラ１３１ａ〜１３１ｃにより矢示Ｄの方向に移動する中間転写ベルト１３０上に転写される。１３２ｙ〜１３２ｃは、それぞれ感光体１２０ｙ〜１２０ｃに対する１次転写ローラである。
【００２５】
中間転写ベルト１３０は、感光体１２０ｙ〜１２０ｃの被走査面上からそれぞれ転写されたＹ、Ｋ、Ｍ、Ｃの現像剤を担持した状態で２次転写部へと搬送される。すなわち、この中間転写ベルト１３０が、中間転写体に相当する。
【００２６】
２次転写部は、２次転写ベルト１３３と、搬送ローラ１３４ａ、及び搬送ローラ１３４ｂを有する。２次転写ベルト１３３は、搬送ローラ１３４ａ、及び搬送ローラ１３４ｂにより矢示Ｅの方向に搬送される。
【００２７】
記録媒体Ｐは、２次転写部に給紙カセット等の記録媒体収容部Ｔから搬送ローラ１３５によって供給される。受像材である記録媒体Ｐは、紙、プラスチックシート、又は金属シート等である。２次転写部は、２次転写バイアス電圧を印加して、中間転写ベルト１３０上に担持された多色現像剤像を、２次転写ベルト１３３上に吸着保持された記録媒体Ｐに転写する。
【００２８】
次に、記録媒体Ｐは、２次転写ベルト１３３の搬送と共に定着装置１３６へと供給される。
【００２９】
定着装置１３６は、定着ローラ等の定着部材１３７を有する。定着ローラは、シリコーンゴム、又はフッ素ゴム等の部材からなる。定着装置１３６は、記録媒体Ｐと多色現像剤像を加圧加熱する。そして、排紙ローラ１３８で記録媒体Ｐを印刷物Ｐ２として画像形成装置１０００の外部へ排出する。
【００３０】
多色現像剤像を転写した後、中間転写ベルト１３０は、クリーニング部１３９によって残った現像剤を除去される。クリーニング部１３９は、クリーニングブレード（図示せず）を有する。画像形成装置１０００は、除去の後、次の画像形成プロセスとなる。
【００３１】
また、画像形成装置１０００は、搬送ローラ１３１ａの近傍に、３個の検出センサ（以下、検出センサという場合もある。）５ａ〜５ｃを有する。
【００３２】
検出センサ５ａ〜５ｃは、中間転写ベルト１３０上に形成されたテストパターンを検出する。テストパターンは、例えば色ずれ補正処理用テストパターン、濃度補正処理用テストパターン等がある。
【００３３】
検出センサ５ａ〜５ｃは、例えば公知の反射型フォトセンサである。各検出センサ５ａ〜５ｃによる検出結果に基づいて、各種のずれ量を算出する。
【００３４】
ずれ量は、例えば基準色に対する各色のスキュー（傾き）ずれ量、主走査レジストずれ量、副走査レジストずれ量、及び主走査倍率誤差である。ずれ量に基づいて、各種のずれを補正処理する。ずれの補正処理は、色ずれ、及び濃度等の画像形成条件を補正処理し、補正処理された画像形成条件でテストパターンを形成する。
【００３５】
＜ハードウェア構成＞
図２は、本発明の一実施形態に係るハードウェア構成の一例を説明するブロック図である。
【００３６】
画像形成装置１０００は、記憶装置１０００Ｈ１と、ＣＰＵ（Ｃｅｎｔｒａｌ  Ｐｒｏｃｅｓｓｉｎｇ  Ｕｎｉｔ）１０００Ｈ２と、を有する。画像形成装置１０００は、画像処理ＡＳＩＣ（Ａｐｐｌｉｃａｔｉｏｎ  Ｓｐｅｃｉｆｉｃ  Ｉｎｔｅｇｒａｔｅｄ  Ｃｉｒｃｕｉｔ）１０００Ｈ３と、スキャナ装置１０００Ｈ４と、プリンタ装置１０００Ｈ５と、を有する。画像形成装置１０００は、操作装置１０００Ｈ６と、ネットワークＩ／Ｆ（ｉｎｔｅｒｆａｃｅ）１０００Ｈ７と、を有する。
【００３７】
記憶装置１０００Ｈ１は、画像形成装置１０００が処理に用いるデータ、及びプログラム等を記憶する。記憶装置１０００Ｈ１は、メモリ（Ｍｅｍｏｒｙ）、及びハードディスク等である。
【００３８】
ＣＰＵ１０００Ｈ２は、画像形成装置１０００の行う処理のための演算、及び画像形成装置１０００の有する装置の制御を行う。
【００３９】
画像処理ＡＳＩＣ１０００Ｈ３は、画像形成装置１０００が行う画像処理を実現する。
【００４０】
スキャナ装置１０００Ｈ４は、画像形成装置１０００が画像形成を行う画像のデータを入力するための入力装置である。
【００４１】
プリンタ装置１０００Ｈ５は、画像形成装置１０００に入力された画像のデータを記録媒体に画像形成するための出力装置である。
【００４２】
操作装置１０００Ｈ６は、画像形成装置１０００の設定等を入力する操作を行うための入力装置である。
【００４３】
ネットワークＩ／Ｆ１０００Ｈ７は、ネットワークを介して画像形成装置１０００にデータを入出力するためのインタフェースである。
【００４４】
なお、ハードウェア構成は図２に示した構成に限られない。例えばＣＰＵ１０００Ｈ２、又は画像処理ＡＳＩＣ１０００Ｈ３は、複数のＩＣ（Ｉｎｔｅｇｒａｔｅｄ  Ｃｉｒｃｕｉｔ）で構成されてもよい。
【００４５】
＜機能構成＞
図３は、本発明の一実施形態に係る機能構成の一例を説明する機能ブロック図である。
【００４６】
画像形成装置１０００は、画像取得部１０００Ｆ１と、コントローラ（Ｃｏｎｔｒｏｌｌｅｒ）１０００Ｆ２と、画像処理部１０００Ｆ３と、テストパターン生成部１０００Ｆ４と、を有する。画像形成装置１０００は、画素マスク部１０００Ｆ５と、画像変換部１０００Ｆ６と、ＬＤ（Ｌａｓｅｒ  Ｄｉｏｄｅ）ドライバ１０００Ｆ７と、ディザリングデータ生成部１０００Ｆ８と、ディザリング設定記憶部１０００Ｆ９と、を有する。
【００４７】
画像取得部１０００Ｆ１は、画像形成装置１０００に画像を入力するための処理を行う。画像取得部１０００Ｆ１は、例えば図２のスキャナ装置１０００Ｈ４等によって実現される。
【００４８】
コントローラ１０００Ｆ２は、画像の印字枚数に係る処理、画像の回転処理、画像の拡大処理、及び画像の縮小処理等の印刷形態に係る処理を行う。
【００４９】
コントローラ１０００Ｆ２は、画像データを色ごとに分解し、画像処理部１０００Ｆ３に送信する。モノクロ印刷の場合、コントローラ１０００Ｆ２は、ブラック（Ｋ）のデータを画像処理部１０００Ｆ３に送信する。カラー印刷の場合、コントローラ１０００Ｆ２は、画像データをブラック（Ｋ）、シアン（Ｃ）、マゼンタ（Ｍ）、及びイエロー（Ｙ）のデータに分解し、分解したデータを画像処理部１０００Ｆ３に送信する。
【００５０】
コントローラ１０００Ｆ２は、例えば図２の画像処理ＡＳＩＣ１０００Ｈ３等によって実現される。図２のコントローラ１０００Ｆ２は、図２のネットワークＩ／Ｆ１０００Ｈ７等によってＰＣ（Ｐｅｒｓｏｎａｌ  Ｃｏｍｐｕｔｅｒ）等の外部装置から画像データを入力する。コントローラ１０００Ｆ２は、画像取得部１０００Ｆ１から画像データを入力する。
【００５１】
画像処理部１０００Ｆ３は、画像データを画像処理し、画像の品質を向上させるための処理を行う。画像処理部１０００Ｆ３は、例えば階調処理を行い、多階調の濃度を再現する処理を行う。画像処理部１０００Ｆ３は、例えば図２の画像処理ＡＳＩＣ１０００Ｈ３等によって実現される。
【００５２】
テストパターン生成部１０００Ｆ４は、各種画質調整に用いるトナーのパターンを形成するためのテストパターンのデータを生成する。テストパターンは、例えば画像の濃度調整の補正、又は色ずれ補正に用いる色合わせのパターン等である。テストパターン生成部１０００Ｆ４は、例えば図２の画像処理ＡＳＩＣ１０００Ｈ３等によって実現される。
【００５３】
画素マスク部１０００Ｆ５は、受信する画像データの画素を間引く間引き処理を行う。画素マスク部１０００Ｆ５が間引き処理を行うことによって、画像形成装置１０００は、トナーの消費量を少なくすることができる、いわゆるトナーセーブ機能を実現できる。また、画素マスク部１０００Ｆ５は、画像データが入力されない場合、画像と同様のディザを再現し、画像の状態をテストするための出力を行う。画素マスク部１０００Ｆ５は、例えば図２の画像処理ＡＳＩＣ１０００Ｈ３等によって実現される。
【００５４】
画像変換部１０００Ｆ６は、後段のＬＤドライバ１０００Ｆ７が処理を行える形式に画像データを変換する処理を行う。画像変換部１０００Ｆ６は、画素マスク部１０００Ｆ５が間引き処理を行った画像データに基づいて後段のＬＤドライバ１０００Ｆ７がＬＤのＯＮ／ＯＦＦの制御を行えるように、画像データをＤｕｔｙ信号に変換する処理を行う。画像変換部１０００Ｆ６は、変換して生成したＤｕｔｙ信号をＬＤドライバ１０００Ｆ７に出力する。画像変換部１０００Ｆ６は、例えば図２の画像処理ＡＳＩＣ１０００Ｈ３等によって実現される。
【００５５】
ＬＤドライバ１０００Ｆ７は、Ｄｕｔｙ信号に基づいてＬＤの点灯制御を行う。ＬＤドライバ１０００Ｆ７は、ＬＤのＯＮ／ＯＦＦによって、図１の感光体１２０ｙ〜１２０ｃ上に静電潜像の形成を行う。ＬＤドライバ１０００Ｆ７は、例えば図２の画像処理ＡＳＩＣ１０００Ｈ３等、及び制御装置（図示せず）等によって実現される。
【００５６】
ディザリングデータ生成部１０００Ｆ８は、いわゆるディザリングを行うためのデータを生成する。
【００５７】
ディザリング設定記憶部１０００Ｆ９は、ディザリングデータ生成部１０００Ｆ８が処理を行うための設定、及びデータを記憶する。
【００５８】
ディザリングデータ生成部１０００Ｆ８、及びディザリングデータ生成部１０００Ｆ８に係る詳細は、後述する。
【００５９】
ディザリングデータ生成部１０００Ｆ８、及びディザリングデータ生成部１０００Ｆ８は、例えば図２の画像処理ＡＳＩＣ１０００Ｈ３等によって実現される。
【００６０】
図３で説明した各機能は、図２のＣＰＵ１０００Ｈ２によって制御される。図２の画像処理ＡＳＩＣ１０００Ｈ３は、図３で説明した各機能に対応したレジスタを設置する。図２のＣＰＵ１０００Ｈ２は、レジスタの値を設定することによって各機能のパラメータを変更する等の制御を実現する。
【００６１】
＜ディザリングに係る回路の切り替え＞
図４は、本発明の一実施形態に係るディザリングに係る回路の送信先の切り替えの一例を説明するブロック図である。
【００６２】
図４は、図３で説明した各ブロックの回路の送信先を切り替える場合を例に説明している。図４は、画像形成装置１０００がモノクロ印刷を行う場合、即ちブラック（Ｋ）の１色を用いる場合を例に説明している。
【００６３】
画像形成装置１０００は、切替部１０００Ｆ１０を有する。
【００６４】
切替部１０００Ｆ１０は、ディザリングデータ生成部１０００Ｆ８の送信先をテストパターン生成部１０００Ｆ４、又は画素マスク部１０００Ｆ５のいずれかに切り替える。切替部１０００Ｆ１０は、例えば図２の画像処理ＡＳＩＣ１０００Ｈ３等によって実現される。
【００６５】
切替部１０００Ｆ１０が送信先を切り替えることによって、画像形成装置１０００は、ディザリングデータ生成部１０００Ｆ８、及びディザリング設定記憶部１０００Ｆ９を共通化して使用できる。ディザリングデータ生成部１０００Ｆ８、及びディザリング設定記憶部１０００Ｆ９の回路を共通して使用することによって、画像形成装置１０００は、個別に回路を有する場合と比較して回路の規模を小さくすることができる。
【００６６】
切り替えは、例えば図２の画像処理ＡＳＩＣ１０００Ｈ３が送信先を決定するレジスタを有し、図２のＣＰＵ１０００Ｈ２がレジスタの値を変更することによって実現される。
【００６７】
切り替えは、画像形成が行われる際にアサート（Ａｓｓｅｒｔ）される画像領域信号を切替部１０００Ｆ１０に入力することで実現される。即ち、画像領域信号がアサートされている画像形成を行う場合、切替部１０００Ｆ１０は、ディザリングデータ生成部１０００Ｆ８の送信先を画素マスク部１０００Ｆ５にする。画像領域信号がアサートされていない場合、切替部１０００Ｆ１０は、ディザリングデータ生成部１０００Ｆ８の送信先をテストパターン生成部１０００Ｆ４にする。なお、切り替えは、画像領域信号に代えてテストパターンを生成するか否かを制御する信号であるテストパターン信号を使用して実現されてもよい。
【００６８】
画像領域信号による切り替えによって、画像形成装置１０００は、図２のＣＰＵ１０００Ｈ２によるレジスタの書き込み処理等のソフト制御を減らすことができる。
【００６９】
なお、実施形態は、カラー印刷、即ちブラック（Ｋ）、シアン（Ｃ）、マゼンタ（Ｍ）、及びイエロー（Ｙ）の４色を用いる場合でもよい。ブラック（Ｋ）、シアン（Ｃ）、マゼンタ（Ｍ）、及びイエロー（Ｙ）の４色を用いる場合、画像形成装置１０００は、図４に図示する構成を４色分有する。図４に図示する構成が複数ある場合、画像形成装置１０００は、各構成の有するディザリングデータ生成部１０００Ｆ８、及びディザリング設定記憶部１０００Ｆ９を共通化する構成としてもよい。
【００７０】
図４に図示する構成が複数ある場合、ディザリングデータ生成部１０００Ｆ８、及びディザリング設定記憶部１０００Ｆ９を共通化することで、画像形成装置１０００は、回路の規模を小さくすることができる。
【００７１】
＜ディザリング＞
ディザリングは、画像形成を行う場合、多階調の濃度を表現するために用いられる手法である。ディザリングは、画像データに対して所定の条件に基づいて画素マトリクス内のドット（ｄｏｔ）を増加、又は減少させる手法である。ディザリングは、ドットの増加、又は減少によって、多くの階調、即ち濃度の濃淡を画像形成の際、表現することができる。
【００７２】
図５は、本発明の一実施形態に係るディザリングの一例を説明する図である。図５は、８行８列の画素マトリクスを例に説明している。
【００７３】
図５（ａ）は、本発明の一実施形態に係るディザリングによって濃度３３パーセントを表現する場合の一例を説明する図である。
【００７４】
図５（ｂ）は、本発明の一実施形態に係るディザリングによって濃度５０パーセントを表現する場合の一例を説明する図である。
【００７５】
図５（ｃ）は、本発明の一実施形態に係るディザリングによって濃度６６パーセントを表現する場合の一例を説明する図である。
【００７６】
画像形成装置１０００がディザリングを行うためには、画像形成装置１０００は、画素マトリクスのサイズ等の設定、及び画素マトリクス内の画像データの配置の指定を行う必要がある。図５の場合、画素マトリクス内の画像データの配置の指定は、１画素に対して１ビット（ｂｉｔ）のデータ容量を必要とする。即ち、図５の場合、ディザリングは、８行×８列×１ビット＝６４ビットのデータ容量を必要とする。
【００７７】
中間調の濃度補正は、ディザリングによって複数の階調を表現する必要がある。濃度補正に必要なデータ容量は、表現する階調のディザリングに係るデータ容量の総和である。
【００７８】
＜中間調の濃度補正＞
図６は、本発明の一実施形態に係る中間調の濃度補正の一例を説明する図である。
【００７９】
図６では、中間調の濃度補正は、ブラック（Ｋ）、シアン（Ｃ）、マゼンタ（Ｍ）、及びイエロー（Ｙ）の４色について４階調の濃度を補正する場合である。
【００８０】
図示するように中間調の濃度補正は、図１の中間転写ベルト１３０上の検出センサ５ａ〜５ｃに対応する位置にトナーのテストパターンを形成して行う。
【００８１】
各テストパターンは、図５の画素マトリクスを主走査方向、及び副走査方向に適用して間引き処理を実現することによって、形成される。よって、テストパターンは、図５の画素マトリクスを用いることによって形成できる。
【００８２】
検出センサ５ａ〜５ｃは、形成されたテストパターンを検出する。画像形成装置１０００は、検出センサ５ａ〜５ｃが検出した濃度が予め定められている濃度になるように図２の画像処理ＡＳＩＣ１０００Ｈ３のパラメータを変更等する。
【００８３】
中間調の濃度補正では、画像形成装置１０００は、生成するテストパターンの階調の種類を多くすることによって、濃度補正の精度を良くすることができる。
【００８４】
画像形成装置１０００は、図５の画素マトリクスを用いることで中間調の濃度補正を実現することができる。よって、画像形成装置１０００は、図４のディザリングデータ生成部１０００Ｆ８が生成するディザリングのデータを画素マスク部１０００Ｆ５が間引き処理を行うことによって中間調の濃度補正を実現できる。
【００８５】
画像形成装置１０００は、切替部１０００Ｆ１０によって画素マスク部１０００Ｆ５が間引き処理を行うデータを切り替えることができる。即ち、画像形成装置１０００は、ディザリングデータ生成部１０００Ｆ８、及びディザリング設定記憶部１０００Ｆ９の送信先をテストパターン生成部１０００Ｆ４と、画素マスク部１０００Ｆ５と、で切り替えることができる。切り替えによって、ディザリングデータ生成部１０００Ｆ８、及びディザリング設定記憶部１０００Ｆ９は、テストパターン生成部１０００Ｆ４、及び画素マスク部１０００Ｆ５で共通化して使用することができる。画像形成装置１０００は、テストパターン生成部１０００Ｆ４、及び画素マスク部１０００Ｆ５でディザリングデータ生成部１０００Ｆ８、及びディザリング設定記憶部１０００Ｆ９を共通して使用するため、回路の規模を小さくすることができる。
【００８６】
なお、実施形態は、各処理の一部、又は全部が例えばフィールド・プログラマブル・ゲート・アレイ（ＦＰＧＡ）等のプログラマブル・デバイス（ＰＤ）で実現された形態でもよい。また、実施形態は、各処理の一部、又は全部がＡＳＩＣで実現された形態でもよい。
【００８７】
以上、本発明の好ましい実施例について詳述したが、本発明は係る特定の実施形態に限定されるものではなく、特許請求の範囲に記載された本発明の要旨の範囲内において、種々の変形、変更が可能である。
【符号の説明】
【００８８】
１０００  画像形成装置
１０１  光学装置
１０２  像形成装置
１０３  転写装置
１１０  ポリゴンミラー
１１１ａ、１１１ｂ  走査レンズ
１１２ｙ、１１２ｋ、１１２ｍ、１１２ｃ  反射ミラー
１１３ｙ、１１３ｋ、１１３ｍ、１１３ｃ  ＷＴＬレンズ
１１４ｙ、１１４ｋ、１１４ｍ、１１４ｃ  反射ミラー
１１５ｙ、１１５ｋ、１１５ｍ、１１５ｃ  反射ミラー
１２０ｙ、１２０ｋ、１２０ｍ、１２０ｃ  感光体
１２１ｙ、１２１ｋ、１２１ｍ、１２１ｃ  現像器
１２２ｙ、１２２ｋ、１２２ｍ、１２２ｃ  帯電器
１３０  中間転写ベルト
１３１ａ、１３１ｂ、１３１ｃ  搬送ローラ
１３２ｙ、１３２ｋ、１３２ｍ、１３２ｃ  一次転写ローラ
１３３  二次転写ベルト
１３４ａ、１３４ｂ  搬送ローラ
１３５  搬送ローラ
１３６  定着装置
１３７  定着部材
１３８  搬送ローラ
１３９  クリーニング装置
Ｔ  記録媒体収容装置
ＢＭ、Ｙ、Ｋ、Ｍ、Ｃ  光ビーム
Ｄ、Ｅ  矢印
Ｐ  記録媒体
Ｐ２  印刷物
１０００Ｈ１  記憶装置
１０００Ｈ２  ＣＰＵ
１０００Ｈ３  画像処理ＡＳＩＣ
１０００Ｈ４  スキャナ装置
１０００Ｈ５  プリンタ装置
１０００Ｈ６  操作装置
１０００Ｈ７  ネットワークＩ／Ｆ
１０００Ｆ１  画像取得部
１０００Ｆ２  コントローラ
１０００Ｆ３  画像処理部
１０００Ｆ４  テストパターン生成部
１０００Ｆ５  画素マスク部
１０００Ｆ６  画像変換部
１０００Ｆ７  ＬＤドライバ
１０００Ｆ８  ディザリングデータ生成部
１０００Ｆ９  ディザリング設定記憶部
１０００Ｆ１０  切替部
【先行技術文献】
【特許文献】
【００８９】
【特許文献１】特開２０１２−１９５７１５号公報
【図１】
2015207897.tif 000003
【図２】
2015207897.tif 000004
【図３】
2015207897.tif 000005
【図４】
2015207897.tif 000006
【図５】
2015207897.tif 000007
【図６】
2015207897.tif 000008